(57)【要約】【課題】データサイズを抑えつつ天井および床の壁への写り込み等を考慮したより高品位な昇降機かご内装の意匠表示が行える昇降機の電子商取引システムにおける昇降機かご内装意匠表示装置を提供する。【解決手段】意匠表示画像を表示部品として分けた意匠要素毎に意匠要素の画像データおよび表示の際の隣接する画像要素への写り込み画像データを合わせて格納する手段４０ａ〜４０ｃと、上記意匠要素毎の他の各意匠要素に対する上記写り込み画像データを表示する際の透明度を格納する手段４０ｄと、上記意匠要素の画像データを表示部品として組み合わせて表示するかご内装意匠表示手段４０１と、上記写り込み画像データを隣接する意匠要素の画像データに該意匠要素の上記透明度に従って重ねて表示する写り込み表示処理手段４０３と、を備えた。【選択図】図２
2005122564.tif 000002
【特許請求の範囲】
【請求項１】
昇降機に関する情報をインターネット回線を介して利用者のネット端末へ提供する昇降機の電子商取引システムにおける昇降機かご内装意匠表示装置であって、意匠表示画像を表示部品として分けた意匠要素の画像データを組み合わせて表示すると共に隣接する意匠要素との間の影響を考慮した表示を行うことを特徴とする昇降機の電子商取引システムにおける昇降機かご内装意匠表示装置。
【請求項２】
意匠表示画像を表示部品として分けた意匠要素毎に意匠要素の画像データおよび表示の際の隣接する画像要素への写り込み画像データを合わせて格納する手段と、
上記意匠要素毎の他の各意匠要素に対する上記写り込み画像データを表示する際の透明度を格納する手段と、
上記意匠要素の画像データを表示部品として組み合わせて表示するかご内装意匠表示手段と、
上記写り込み画像データを隣接する意匠要素の画像データに該意匠要素の上記透明度に従って重ねて表示する写り込み表示処理手段と、
を備えたことを特徴とする請求項１に記載の昇降機の電子商取引システムにおける昇降機かご内装意匠表示装置。
【請求項３】
意匠表示画像を表示部品として分けた各意匠要素の画像データを格納する手段と、
表示の際に隣接する意匠要素の組み合わせ毎または隣接する意匠要素の色の組み合わせ毎に設定された繋ぎ目表示色を格納した手段と、
上記意匠要素の画像データを表示部品として組み合わせて表示するかご内装意匠表示手段と、
表示される意匠要素の繋ぎ目部分を上記繋ぎ目表示色に従って線状に表示する繋ぎ目表示処理手段と、
を備えたことを特徴とする請求項１に記載の昇降機の電子商取引システムにおける昇降機かご内装意匠表示装置。
【請求項４】
表示の際に隣接する意匠要素の組み合わせ毎または隣接する意匠要素の色の組み合わせ毎に設定された繋ぎ目表示色を格納した手段と、
表示される意匠要素の繋ぎ目部分を上記繋ぎ目表示色に従って線状に表示する繋ぎ目表示処理手段と、
を備えたことを特徴とする請求項２に記載の昇降機の電子商取引システムにおける昇降機かご内装意匠表示装置。
【請求項５】
上記意匠要素が昇降機かご内装の天井、床および壁からなることを特徴とする請求項１ないし４のいずれか１項に記載の昇降機の電子商取引システムにおける昇降機かご内装意匠表示装置。
【発明の詳細な説明】
【技術分野】
【０００１】
この発明は昇降機の電子商取引システムにおける昇降機かご内装意匠表示装置に関する。
【背景技術】
【０００２】
従来、昇降機の電子商取引システムにおいて昇降機かご内装の意匠表示を行う際に、昇降機かご内装を構成する天井、壁、床の各パーツ毎にそれぞれに扱っている種類分の画像を予め準備しておき、これらの画像を所望の組み合わせで組み合わせて表示するものがある(例えば非特許文献１参照)。
【０００３】
【非特許文献１】三菱エレベーターＥＣ(電子商取引)サイト＜ＵＲＬ：http://www1.mitsubishi-elevator.com/＞
【発明の開示】
【発明が解決しようとする課題】
【０００４】
従来のこの種の意匠表示装置では、電子商取引システムにおけるユーザーのコンピューターの性能を考慮するとデータサイズを抑える必要があることから、各意匠要素の画像をほぼそのまま組み合わせて表示しており、このため天井又は床の壁への写り込み(天井および床の色や光が壁に写ることによる壁の見た目の色等の変化)等は考慮されておらず、また組み合わせた際の各意匠要素間の繋ぎ目の画像品質が悪い(繋ぎ目がギザギザに表示される)等の問題があった。高品質な意匠表示をするには３Ｄグラフィックアクセラレータ等の高価な機器が必要であった。
【０００５】
この発明はデータサイズを抑えつつ天井および床の壁への写り込み等を考慮し、またこれらの間の繋ぎ目の表示も改善したより高品位な昇降機かご内装の意匠表示が行える昇降機の電子商取引システムにおける昇降機かご内装意匠表示装置を提供することを目的とする。
【課題を解決するための手段】
【０００６】
この発明は、昇降機に関する情報をインターネット回線を介して利用者のネット端末へ提供する昇降機の電子商取引システムにおける昇降機かご内装意匠表示装置であって、意匠表示画像を表示部品として分けた意匠要素の画像データを組み合わせて表示すると共に隣接する意匠要素との間の影響を考慮した表示を行うことを特徴とする。例えば意匠表示画像を表示部品として分けた意匠要素毎に意匠要素の画像データおよび表示の際の隣接する画像要素への写り込み画像データを合わせて格納する手段と、上記意匠要素毎の他の各意匠要素に対する上記写り込み画像データを表示する際の透明度を格納する手段と、上記意匠要素の画像データを表示部品として組み合わせて表示するかご内装意匠表示手段と、上記写り込み画像データを隣接する意匠要素の画像データに該意匠要素の上記透明度に従って重ねて表示する写り込み表示処理手段と、を備える。
【発明の効果】
【０００７】
データサイズを抑えつつ天井および床の壁への写り込み等を考慮したより高品位な昇降機かご内装の意匠表示が行える。
【発明を実施するための最良の形態】
【０００８】
実施の形態１．
図１はこの発明による昇降機かご内装意匠表示装置を含む昇降機の電子商取引システムのシステム構成図である。昇降機製造会社が管理するサイトはサーバー３に作図／表示処理用コンピューター４、表示用データメモリ４０、見積処理用コンピューター５、生産管理用コンピューター６、商談情報データベース７、会員情報データベース８、代理店情報データベース９、製品情報データベース１０等が接続されて構成され、これにインターネット回線２を介して利用者のネット端末であるパーソナルコンピューター１が接続されている。
【０００９】
図２は図１の例えばサーバー３、作図／表示処理用コンピューター４、製品情報データベース１０等で構成される昇降機かご内装意匠表示装置の構成を示すブロック図である。作図／表示処理用コンピューター４の表示用データメモリ４０にはこの発明の意匠表示装置のために、天井／写り込み画像情報メモリ４０ａ、床／写り込み画像情報メモリ４０ｂ、壁／写り込み画像情報メモリ４０ｃ、透明度情報メモリ４０ｄ(繋ぎ目表示色情報メモリ４０ｅにつては後述する)がさらに設けられている。意匠表示画像を表示部品として分けた意匠要素とはここでは例えば天井、壁および床である。作図／表示処理用コンピューター４には意匠要素の画像データを表示部品として組み合わせて表示する従来の昇降機かご内装意匠表示手段４０１に写り込み表示処理手段４０３(繋ぎ目表示処理手段４０５については後述する)が追加されている。なおこの発明で使用される画像データは、例えば３Ｄ画像データを元データとして、これを２ＤにＣＧイメージで変換したものからデータを切り出して使用する。
【００１０】
図３に従ってこの発明を説明する。この発明では昇降機かご内装の天井および床に関しそれぞれ、各種天井および床の天井画像データ４０ａａおよび床画像データ４０ｂａにこれの壁への写り込み画像データ４０ａｂ、４０ｂｂを合わせて格納しておく。そしてこれらの写り込み画像データ４０ａｂ、４０ｂｂは表示の際に壁画像データ４０ｃに重ねて表示される(図３の１００参照)。その際、壁の材質、色等により決まる光の反射率に従って定まる透明度α値(α：０〜１の間の割合を示す値)を写り込み画像データ４０ａｂ、４０ｂｂに掛けたものを重ね合わせる(レイア)。例えば壁が鏡なら写り込み画像データの透明度は０となり、写り込み画像データのみを表示し、壁が反射率の極めて低い例えば黒の場合は透明度は１に極めて近づき写り込み画像データを極めて薄く重ねて表示する。
【００１１】
これにより、壁の材質や色等により写り込みの度合いが変えられ、より実際に近い高品質な表示を行うことができ、かつ写り込み画像データは透明度α値を掛けることにより複数種の壁について共用できる。
【００１２】
写り込み画像データは天井の場合、天井の色、形状(フラットな天井、凹凸のある天井)、照明(間接照明、シャンデリア等)、天井の材質等により決まり、床の場合、床は基本的にフラットなので、床の色、材質等により決まる。透明度α値は上述のように壁の色、材質等により決まる光の反射率に従って定まる。これらは例えばシミュレーション等をして予め決めておく。
【００１３】
図４には図２の天井／写り込み画像情報メモリ４０ａおよび床／写り込み画像情報メモリ４０ｂの格納情報の一例を示した。意匠要素画像データは例えば製品番号No.1000等で示される各天井又は床の画像データであり、これにそれぞれの上述した壁への写り込み画像データが合わせて記憶されている。壁／写り込み画像情報メモリ４０ｃについてはここでは単に意匠要素画像データとして壁の画像データが記憶されている(図６の意匠要素画像データ参照)。また図５には図２の透明度(α)情報メモリ４０ｄの格納情報の一例を示した。これには例えば製品番号No.1000等で示される各天井又は床の製品番号No.3000等で示される壁に対する上述の透明度(α)値が設定されている。
【００１４】
そして、例えばネットワークであるインターネット回線２を介して利用者のパーソナルコンピューター１からあるいはその他のコンピューター４〜６等から昇降機かご内装の表示要求があり、例えば製品番号No.1000の天井と製品番号No.3000の壁とを合わせた昇降機かご内装を表示する場合には、まず図４に示す天井／写り込み画像情報メモリ４０ａに格納されている製品番号No.1000の天井の意匠要素画像データと、図６に示す壁／写り込み画像情報メモリ４０ｃに格納されている製品番号No.3000の壁の意匠要素画像データとを組み合わせ、さらに図４に示す天井／写り込み画像情報メモリ４０ａに格納されている製品番号No.1000の天井の壁への写り込み画像データに図５に示す透明度情報メモリ４０ｄに格納された製品番号No.1000の天井の製品番号No.3000の壁に対する透明度αを掛けたものを上記壁の意匠要素画像データに重ね合わせて表示する。これによりデータサイズを抑えつつ天井および床の壁への写り込みを考慮した高品質の昇降機かご内装の意匠表示が行える。
【００１５】
なお、壁の天井および床への写り込みを単独あるいは組み合わせて考慮するようにしてもよい。この場合には壁／写り込み画像情報メモリ４０ｃには図６に示すように意匠要素画像データとしての壁の画像データにさらに天井への写り込み画像データおよび床への写り込み画像データが合わせて記憶されている。また透明度情報メモリ４０ｄには図７に示すように、例えば製品番号No.3000等で示される壁に対する製品番号No.1000、No.1001等で示される天井および床のそれぞれに対する上述の透明度(α)値がさらに格納されている。これらの透明度(α)は天井や床の色、材質等により決まる反射率で決まる。そしてこれらも例えばシミュレーション等をして予め決めておく。そして上記の同様に意匠要素画像データの組み合わせおよび透明度に従った写り込み画像データの重ね合わせを行うことにより、データサイズを抑えつつ壁の天井および床への写り込みを考慮した高品質の昇降機かご内装の意匠表示が行える。以上は写り込み表示処理手段４０３により行われる。
【００１６】
実施の形態２．
上記実施の形態では隣接する意匠要素への画像の写り込みを考慮した意匠表示について説明したが、実施の形態２では、意匠要素を組み合わせて表示した際の隣接する意匠要素の繋ぎ目の表示を改善しより高品質の昇降機かご内装の意匠表示を行う。
【００１７】
意匠要素の画像データを単に組み合わせて表示すると両者の繋ぎ目は表示画面上ではギザギザになって見える。そこでこの実施の形態では意匠要素の繋ぎ目をこれに沿った１つの表示部品としての線で表示し、かつ組み合わせる意匠要素の各色の組み合わせについて最も適当な繋ぎ目の表示色をシミュレーション等に基づき予め決めておきその色で繋ぎ目を表示する。図２に示すように表示用データメモリ４０にさらに繋ぎ目表示色情報メモリ４０ｅを備える。図８の(ａ)(ｂ)にはこの繋ぎ目表示色情報メモリ４０ｅの格納情報の例を示した。図８の(ａ)は組み合わせる意匠要素の色の組み合わせに対してそれぞれ繋ぎ目表示色を規定したもので、図中のＮｏ．は色の番号を示す。図８の(ｂ)は組み合わせる個々の意匠要素の製品番号の組み合わせに対してそれぞれ繋ぎ目表示色を規定したものを示す。これらの組み合わせる意匠要素の色あるいは意匠要素そのものの(製品番号)組み合わせに対する繋ぎ目表示色の情報の情報量は微々たるものである。なお、各製品番号に基づく個々の意匠要素(天井、床、壁)の色の情報は、例えば製品情報データベース１０からの製品情報に基づき昇降機かご内装意匠表示手段４０１の既存の表示機能により得られものとする。
【００１８】
そして、意匠要素の画像データを組み合わせて表示する際、意匠要素の繋ぎ目をこれに沿った１つの表示部品としての線で表示し、かつ繋ぎ目表示色情報メモリ４０ｅの情報に基づき組み合わせる意匠要素のそれぞれの色あるいは意匠要素そのものの組み合わせについて最も適当な繋ぎ目表示色で表示するようにした。これによりデータサイズを抑えつつ、意匠要素を組み合わせて表示した際の隣接する意匠要素の繋ぎ目の表示が改善され、高品質の昇降機かご内装の意匠表示を行うことができる。以上は繋ぎ目表示処理手段４０５により行われる。
【００１９】
なお上記実施の形態１，２において、意匠要素(表示部品)の分け方は天井、床、壁に限定されず、所望の意匠要素に分け、同様なデータを準備することで同様な効果が得られる。また上記実施の形態１，２の表示機能は天井、床、壁等という各意匠要素がフラットな面からなる昇降機については、自動車等の表面が複雑な形状のものに比べて特に有効である。
【図面の簡単な説明】
【００２０】
【図１】この発明による昇降機かご内装意匠表示装置を含む昇降機の電子商取引システムのシステム構成図である。
【図２】この発明による昇降機かご内装意匠表示装置の構成を示すブロック図である。
【図３】この発明による昇降機かご内装意匠表示装置の動作を説明するための図である。
【図４】この発明による天井／写り込み画像情報メモリ、床／写り込み画像情報メモリの格納情報の一例を示す図である。
【図５】この発明による透明度情報メモリの格納情報の一例を示す図である。
【図６】この発明による壁／写り込み画像情報メモリの格納情報の一例を示す図である。
【図７】この発明による壁／写り込み画像情報メモリを使用した場合の透明度情報メモリの格納情報の一例を示す図である。
【図８】この発明による繋ぎ目表示色情報メモリの格納情報の一例を示す図である。
【符号の説明】
【００２１】
３  サーバー、４  作図／表示処理用コンピューター、１０  製品情報データベース、４０  表示用データメモリ、４０ａ  天井／写り込み画像情報メモリ、４０ｂ  床／写り込み画像情報メモリ、４０ｃ  壁／写り込み画像情報メモリ、４０ｄ  透明度情報メモリ、４０ｅ  繋ぎ目表示色情報メモリ、４０１  昇降機かご内装意匠表示手段、４０３  写り込み表示処理手段、４０５  繋ぎ目表示処理手段。
【図１】
2005122564.tif 000003
【図２】
2005122564.tif 000004
【図３】
2005122564.tif 000005
【図４】
2005122564.tif 000006
【図５】
2005122564.tif 000007
【図６】
2005122564.tif 000008
【図７】
2005122564.tif 000009
【図８】
2005122564.tif 000010